(57)【要約】【課題】  特に、従来に比べて操作性を向上させることが可能な入力装置を提供することを目的とする。【解決手段】  本発明の入力装置は、表示部７に配置され、表示部の表示画面７ａに対する第１の入力操作に応じた操作信号を出力するための第１の入力部３と、表示部以外の領域にて画定された操作部８に配置され、前記操作部の操作表面８ａに対する第２の入力操作に応じた操作信号を出力するための第２の入力部４と、を有し、第１の入力操作及び前記第２の入力操作により出力された各操作信号に基づき、前記第１の入力操作と前記第２の入力操作とを組み合わせて得られる表示操作を可能としたことを特徴とする。【選択図】図１
2012053738.tif 000002
【特許請求の範囲】
【請求項１】
表示部に配置され、前記表示部の表示画面に対する第１の入力操作に応じた操作信号を出力するための第１の入力部と、
前記表示部以外の領域にて画定された操作部に配置され、前記操作部の操作表面に対する第２の入力操作に応じた操作信号を出力するための第２の入力部と、を有し、
前記第１の入力操作及び前記第２の入力操作により出力された各操作信号に基づいて、前記第１の入力操作と前記第２の入力操作とを組み合わせて得られる表示操作を可能としたことを特徴とする入力装置。
【請求項２】
前記表示部の表示画面及び、前記操作部の操作表面が共通の表面部材の表面にて構成され、前記表示部の表示画面と対向する前記表面部材の裏面に前記第１の入力部が配置され、前記操作部の操作表面と対向する前記表面部材の裏面に前記第２の入力部が配置されている請求項１記載の入力装置。
【請求項３】
前記操作部の操作表面がブラインド操作可能に形成されている請求項２記載の入力装置。
【請求項４】
前記操作部の操作表面が凹形状あるいは凸形状で形成されている請求項３記載の入力装置。
【請求項５】
前記第１の入力部と前記第２の入力部とは夫々、別々に形成されたものである請求項１ないし４のいずれか１項に記載の入力装置。
【請求項６】
前記第１の入力部及び前記第２の入力部に対する共通の集積回路を有する請求項１ないし５のいずれか１項に記載の入力装置。
【請求項７】
前記第１の入力部及び前記第２の入力部は、静電容量式センサである請求項１ないし６のいずれか１項に記載の入力装置。
【請求項８】
前記第１の入力操作により出力された第１の操作信号は絶対座標信号であり、前記第２の入力操作により出力された第２の操作信号は相対座標信号である請求項１ないし７のいずれか１項に記載の入力装置。
【請求項９】
請求項１ないし８のいずれか１項に記載された入力装置と、前記第１の入力部の裏面側に配置された表示装置と、を有することを特徴とする電子機器。
【請求項１０】
前記第１の入力操作により、前記表示部に表示された操作対象を特定した状態で、前記第２の入力操作を行うことで、あるいは、前記第２の入力操作により、前記表示部に表示された操作対象を特定した状態で、前記第１の入力操作を行うことで、前記操作対象に対して所定の表示操作が実行される請求項９記載の電子機器。
【請求項１１】
前記第１の入力操作を行うと同時に、前記第２の入力操作を行うことで、前記操作対象に対して所定の表示操作が実行される請求項１０記載の電子機器。
【請求項１２】
前記第１の入力操作により前記操作対象に対する支点を特定し、前記第２の入力操作により、前記支点を中心にして所定の表示操作が実行され、あるいは、前記第２の入力操作により前記操作対象に対する支点を特定し、前記第１の入力操作により、前記支点を中心にして所定の表示操作が実行される請求項１０又は１１に記載の電子機器。
【請求項１３】
前記所定の表示操作とは、前記操作対象に対する平面的あるいは立体的な回転操作である請求項１２記載の電子機器。
【請求項１４】
操作体では操作不可能、あるいは操作が困難な操作対象に対して、前記第１の入力操作及び前記第２の入力操作とを組み合わせて所定の表示操作を実行可能とした請求項９又は１０に記載の電子機器。
【請求項１５】
前記第１の入力操作と前記第２の入力操作とを組み合わせることで、表示画面に表示された第１の階層画面から異なる別の階層画面への移動、及び別の階層画面に対する所定の表示操作を実行可能とした請求項９又は１０に記載の電子機器。
【発明の詳細な説明】
【技術分野】
【０００１】
本発明は、操作性を向上させた入力装置及び電子機器に関する。
【背景技術】
【０００２】
下記の特許文献１にはタッチパネルを用いた携帯電子機器に関する発明が開示されている。
【０００３】
特許文献１には、タッチパネルの操作に関して色々なアプリケーションが記載されている。例えば特許文献１の図５には二本の指を使って、表示画面に表示された操作対象を回転させたりする操作が開示されている。
【０００４】
このようなマルチタッチ操作は、直感的な操作感を得ることができるが、その一方で表示画面に表示された操作対象が指等の操作体に隠れやすく視覚性に問題があった。また細かい操作（ポインティング操作）を行うことができなかった。
【０００５】
また特許文献１の図８には、表示部の脇に複数のボタンを表示し、例えば拡大縮小ボタンを一方の手の指で押した状態で、操作対象を他方の手でペン等を用いて操作すると拡大縮小できる操作が開示されている。
【０００６】
特許文献１の図８では、表示部の脇に表示された複数のボタンをまず目で確認した後、操作対象を見ることになり、視覚の中に、操作対象も含めて表示画面全体を見ながらスムースな操作を行うことが難しい。
【０００７】
従来技術では、表示画面の一部をポインティング操作部の領域とすることも可能であったが、ポインティング操作部に対する入力操作は、操作対象が表示された表示画面と同じ平坦な表示画面上となるため、ポインティング操作部での入力操作を目で確認しながら行うことが必要になり、ブラインド操作が困難であった。
【０００８】
また、特許文献２，３には、複数の入力領域が設けられた入力装置が開示されている。特許文献２，３では、各入力領域での入力操作により得られた操作信号は、別々の表示操作として取り扱われる。
【０００９】
このように従来でも一つの入力装置及び電子機器において、複数の入力領域を有する構成は存在したが、各入力領域では、個々、別々の表示操作処理を行っており、例えば複数の入力操作を組み合わせて、ある特殊な表示操作を行わせるようなことはしていなかった。
【先行技術文献】
【特許文献】
【００１０】
【特許文献１】特開２００１−１３４３８２号公報
【特許文献２】特開２００７−１６４４７０号公報
【特許文献３】特許第４４０８４３１号の特許公報
【発明の概要】
【発明が解決しようとする課題】
【００１１】
そこで本発明は上記従来の課題を解決するためのものであり、特に、従来に比べて操作性を向上させることが可能な入力装置及びそれを用いた電子機器を提供することを目的とする。
【課題を解決するための手段】
【００１２】
本発明における入力装置は、
表示部に配置され、前記表示部の表示画面に対する第１の入力操作に応じた操作信号を出力するための第１の入力部と、
前記表示部以外の領域にて画定された操作部に配置され、前記操作部の操作表面に対する第２の入力操作に応じた操作信号を出力するための第２の入力部と、を有し、
前記第１の入力操作及び前記第２の入力操作により出力された各操作信号に基づいて、前記第１の入力操作と前記第２の入力操作とを組み合わせて得られる表示操作を可能としたことを特徴とするものである。
【００１３】
本発明では、表示部に対する第１の入力操作と、表示部以外の余白領域に画定された操作部に対する第２の入力操作とを組み合わせることで、表示画面に対する視覚性や直感的な操作性を維持しつつ、特殊な表示操作や、表示画面への指の操作では操作不可能な表示操作、数階層にわたる連続した表示操作等、様々な表示操作を簡単かつスムースに行うことができる。
【００１４】
本発明では、前記操作部の操作表面が凹形状あるいは凸形状で形成されている等、ブラインド操作可能に形成されていることが好ましく、これにより、表示画面を見ながらのブラインド操作が可能になる。
このように本発明では従来に比べて操作性を向上させることができる。
【００１５】
本発明では、前記表示部の表示画面及び、前記操作部の操作表面が共通の表面部材の表面にて構成され、前記表示部の表示画面と対向する前記表面部材の裏面に前記第１の入力部が配置され、前記操作部の操作表面と対向する前記表面部材の裏面に前記第２の入力部が配置されていることが好ましい。これにより簡単な構造の入力装置にできる。また、表示部と操作部とを一体化でき、シームレス構造によりメンテナンスフリーを実現できる。また入力装置の耐久性も向上させることができる。
【００１６】
また本発明では、前記第１の入力部と前記第２の入力部とは夫々、別々に形成されたものであることが好ましい。第１の操作信号及び第２の操作信号の夫々を高精度に安定して出力することが出来る。
【００１７】
また本発明では、前記第１の入力部及び前記第２の入力部に対する共通の集積回路を有することが好ましい。低コスト化を実現することができる。
【００１８】
また本発明では、前記第１の入力部及び前記第２の入力部は、静電容量式センサであることが好ましい。
【００１９】
また本発明では、前記第１の入力操作により出力された第１の操作信号は絶対座標信号であり、前記第２の入力操作により出力された第２の操作信号は相対座標信号であることが好ましい。これにより、様々な表示操作を簡単且つ適切に行うことが可能になる。
【００２０】
本発明における電子機器は、上記のいずれかに記載された入力装置と、前記第１の入力部の裏面側に配置された表示装置と、を有することを特徴とするものである。
【００２１】
本発明では、前記第１の入力操作により、前記表示部に表示された操作対象を特定した状態で、前記第２の入力操作を行うことで、あるいは、前記第２の入力操作により、前記表示部に表示された操作対象を特定した状態で、前記第１の入力操作を行うことで、前記操作対象に対して所定の表示操作が実行されることが好ましい。
【００２２】
また本発明では、前記第１の入力操作を行うと同時に、前記第２の入力操作を行うことで、前記操作対象に対して所定の表示操作が実行される構成にできる。これにより、より直感的な操作性を得ることができる。
【００２３】
また本発明では、前記第１の入力操作により前記操作対象に対する支点を特定し、前記第２の入力操作により、前記支点を中心にして所定の表示操作が実行され、あるいは、前記第２の入力操作により前記操作対象に対する支点を特定し、前記第１の入力操作により、前記支点を中心にして所定の表示操作が実行される入力装置にできる。具体的には、前記所定の表示操作とは、前記操作対象に対する平面的あるいは立体的な回転操作である。
【００２４】
また本発明では、操作体では操作不可能、あるいは操作が困難な表示画面に対して、前記第１の入力操作及び前記第２の入力操作とを組み合わせて所定の表示操作を実行可能にした電子機器にできる。
【００２５】
また本発明では、前記第１の入力操作と前記第２の入力操作とを組み合わせることで、表示画面に表示された第１の階層画面から異なる別の階層画面への移動、及び別の階層画面に対する所定の表示操作を実行可能とした電子機器にできる。
【発明の効果】
【００２６】
本発明では、表示部に対する第１の入力操作と、表示部以外の余白領域に画定された操作部に対する第２の入力操作とを組み合わせることで、表示画面に対する視覚性や直感的な操作性を維持しつつ、特殊な表示操作や、表示画面への指の操作では操作不可能な表示操作、数階層にわたる連続した表示操作等、様々な表示操作を簡単かつスムースに行うことができる。
【００２７】
本発明では、前記操作部の操作表面が凹形状あるいは凸形状で形成されている等、ブラインド操作可能に形成されていることが好ましく、これにより、表示部を見ながらのブラインド操作が可能になる。
このように本発明では従来に比べて操作性を向上させることができる。
【図面の簡単な説明】
【００２８】
【図１】（ａ）は、本実施形態における入力装置の平面図、（ｂ）は、（ａ）に示す入力装置をＡ−Ａ線に沿って切断し矢印方向から見た拡大縦断面図、
【図２】本実施形態における入力装置の構成図、
【図３】本実施形態における第１の入力部（タッチパネルセンサ）や第２の入力部（ポインティングセンサ）を構成する静電容量式センサの部分拡大平面図、
【図４】第１の入力操作と第２の入力操作とを組み合わせて得られる表示操作の一例を示す模式図、
【図５】第１の入力操作と第２の入力操作とを組み合わせて得られる表示操作の一例を示す模式図、
【図６】第１の入力操作と第２の入力操作とを組み合わせて得られる表示操作の一例を示す模式図。
【発明を実施するための形態】
【００２９】
図１（ａ）は本実施形態における入力装置の平面図、図１（ｂ）は図１（ａ）に示す入力装置をＡ−Ａ線に沿って切断し矢印方向から見た拡大縦断面図、図２は本実施形態における入力装置の構成図、図３は、本実施形態における第１の入力部（タッチパネルセンサ）や第２の入力部（ポインティングセンサ）を構成する静電容量式センサの部分拡大平面図、図４、図５、図６は、第１の入力操作と第２の入力操作とを組み合わせて得られる表示操作の一例を示す模式図、である。
【００３０】
図１に示す本実施形態の入力装置１は、プラスチック基材や透明樹脂材で形成された表面パネル（表面部材）２と、第１の入力部（タッチパネルセンサ）３と、第２の入力部（ポインティングセンサ）４と、フレキシブルプリント基板５と、コントロールＩＣ（集積回路）６と、を有して構成される。
【００３１】
本実施形態における入力装置１は、液晶ディスプレイ（ＬＣＤ；表示装置）１０が搭載された本体部の表面層として組み込まれ、これにより電子機器が構成される。
【００３２】
図１（ａ）に示すように入力装置１は、表示部７と、表示部７の周囲に広がる余白部分の一部に画定されたポインティング操作部８とを有する。
【００３３】
図１（ｂ）に示すように、表面パネル２の裏面には例えば加飾層９が設けられているが、この加飾層９は表示部７以外の領域に形成される。この加飾層９により、表示部７以外の部分は有色になり非透光性の状態になっている。
【００３４】
図１（ｂ）に示すように、表示部７の表示画面（操作表面）７ａと対向する表面パネル２の裏面２ｂに、第１の入力部３が配置されている。
【００３５】
また、図１（ｂ）に示すように、液晶ディスプレイ（ＬＣＤ；表示装置）１０が第１の入力部３の裏面側に配置されている。第１の入力部３は、透明な基材、ＩＴＯ等の透明電極で形成された透明なタッチパネルセンサであり、液晶ディスプレイ１０の表示が、第１の入力部３及び表面パネル２を介して表示部７の表示画面７ａから見ることができる。
【００３６】
また図１（ｂ）に示すように、ポインティング操作部８の操作表面８ａと対向する表面パネル２の裏面２ｂに、第２の入力部４が配置されている。
【００３７】
図１（ａ）（ｂ）に示すように、表示部７の表示画面７ａ及びポインティング操作部８の操作表面８ａが、共通の表面パネル２の表面にて構成されている。つまり、表示部７とポインティング操作部８とを別々に分けて形成せず、一体化している。このようなシームレス構造により内部に塵や水分が侵入するのを抑制でき、メンテナンスフリーを実現でき、また耐久性を向上させることができる。
【００３８】
図１（ｂ）に示すように、表示部７の表示画面７ａはフラットな面であるが、ポインティング操作部８の操作表面８ａは凹形状で形成されている。よって、ポインティング操作部８の操作表面８ａを人が指で操作するときに、特に操作表面８ａを見ずとも操作でき、すなわちブラインド操作が可能になっている。
【００３９】
ポインティング操作部８の操作表面８ａの形状は凹形状以外であってもよく凸形状、あるいは、ポインティング操作部８の周囲を凸あるいは凹の枠で囲った形状等を提示できる。
【００４０】
図１（ｂ）に示すように、表面パネル２の裏面２ｂには第１の入力部３及び第２の入力部４の各配線層と電気的に接続されるフレキシブルプリント基板５が外部に引き出されており、フレキシブルプリント基板５の先端位置にコントロールＩＣ６が接続されている。
【００４１】
本実施形態では図２にも示すようにコントロールＩＣ６は１個であり、第１の入力部３及び第２の入力部４に対する共通のコントロールＩＣを構成している。コントロールＩＣ６を第１の入力部３用と、第２の入力部４用とに夫々、設けてもよいが、コントロールＩＣ６を共通化することで低コスト化を実現できる。
【００４２】
図１（ｂ）に示すように、第１の入力部３及び第２の入力部４は、別々に設けられている。一つの静電容量センサを用いて、第１の入力部３と第２の入力部４とを一体化することもできるが、第１の入力部３と第２の入力部４とを別々に形成したほうが、第１の入力部３から得られる第１の操作信号、及び第２の入力部４から得られる第２の操作信号を夫々、高精度に安定して出力でき好適である。
【００４３】
本実施形態における第１の入力部３及び第２の入力部４は、例えば図３に示す静電容量式センサ１１である。静電容量式センサ１１では、透明基材に形成された複数本の下部電極１２と複数本の上部電極１３とが平面視にてマトリクス状に配置されている。各下部電極１２は例えばＸ方向に延出して形成されており、各上部電極１３はＹ方向に延出して形成されている。例えば人が指やペン等の操作体で静電容量式センサ１１を操作すると、操作体と各電極１２，１３との間で生じる静電容量変化に基づいて、操作体の操作位置を検出することが可能になっている。静電容量センサ１１の構造、検出原理は図３のものに限定されない。
【００４４】
図２に示すように、第１の入力部３とコントロールＩＣ６間、第２の入力部４とコントロールＩＣ６間を繋ぐ出力ライン２０，２１により、静電容量変化に基づく電圧変化等がコントロールＩＣ６の第１の操作信号生成部２２，第２の操作信号生成部２３に夫々送られる。そして、第１の操作信号生成部２２では、表示部７の表示画面７ａに対する第１の入力操作に応じた第１の操作信号Ｓ１を得ることができ、第２の操作信号生成部２３では、ポインティング操作部８の操作表面８ａに対する第２の入力操作に応じた第２の操作信号Ｓ２を得ることができる。
【００４５】
第１の操作信号Ｓ１及び第２の操作信号Ｓ２は、コントロールＩＣ６の信号処理部２４に送られ、信号処理部２４では、所定のモード、所定の条件下で、第１の操作信号Ｓ１と第２の操作信号Ｓ２とに基づいて（各操作信号Ｓ１，Ｓ２を連携させて）、所定の表示操作信号Ｓ３を生成する。
【００４６】
この表示操作信号Ｓ３は、液晶ディスプレイ１０に対する制御部（図示しない）に送られ、液晶ディスプレイ１０にて表示された操作対象に対して、第１の入力操作と第２の入力操作とを組み合わせた所定の表示操作が実行される。
【００４７】
図２に示す信号処理部２４は、液晶ディスプレイ１０側の制御部にあってもよい。
第１の入力部３と第２の入力部４は静電容量式センサ以外の検出センサであってもよい。例えば抵抗式センサが考えられる。ただ抵抗式センサの場合は、図１（ｂ）に示す表面パネル２が可撓性基材でなければならず、またポインティング操作部８の操作表面８ａを凹凸状に形成しにくいため、ある程度の厚みがあり支持板としてしっかりとしたプラスチップ基材等で表面パネル２を構成し、表面パネル２の裏面２ｂに静電容量式センサからなる第１の入力部３及び第２の入力部４を配置したほうが好適である。
【００４８】
また、第１の操作信号Ｓ１は絶対座標信号として、第２の操作信号Ｓ２は相対座標信号として得られるように制御されることが好ましい。表示部７の表示画面７ａに直接、指を触れる操作となる第１の入力操作は、絶対座標信号（第１の操作信号Ｓ１）として得られるようにすれば、直感的でスムースな表示操作処理を行うことが出来る。一方、第２の入力操作は、指を表示画面７ａに触れる入力操作ではなく、またポインティング操作部８は表示部７に比べて小さいため、絶対座標信号でなく相対座標信号（第２の操作信号Ｓ２）として得られるようにすれば、第１の入力操作と第２の入力操作とを組み合わせて得られる様々な表示操作を簡単且つ適切に実行することが可能になる。
【００４９】
本実施形態では、例えば、図４、図５、図６に示す第１の入力操作と第２の入力操作とを組み合わせることで、所定の表示操作を実行できる。
【００５０】
図４（ａ）では、表示部７の表示画面７ａに、第１の入力操作として指Ｆ１を触れる。すると第１の操作信号Ｓ１（絶対座標信号）が出力され、表示画面７ａ上の指Ｆ１の接触位置を特定でき、この接触位置を支点Ｔ１として設定する。
【００５１】
次に図４（ａ）では、ポインティング操作部８の操作表面８ａで、第２の入力操作として指Ｆ２を矢印Ｙ１方向に回転させる。このとき第２の入力操作により、第２の操作信号Ｓ２（相対座標信号）が出力され、指Ｆ２（操作体）が回転動作していることを認識できる。なお、指Ｆ１を、そのまま表示画面７ａ上に触れた状態のまま、第２の入力操作を行うことが望ましい。指Ｆ１を表示画面７ａに触れた状態のままとすることで、直感的な操作感を得ることができる。
【００５２】
図４（ａ）に示すようにポインティング操作部８で指Ｆ２を回転操作させると、操作対象（表示画面７ａの一部であってもよいし全体であってもよい）も指Ｆ１の位置を支点Ｔ１として矢印Ｙ２方向に平面的に回転操作される。このとき、信号処理部２４では、第１の操作信号Ｓ１と第２の操作信号Ｓ２とに基づいて（各操作信号Ｓ１，Ｓ２を連携させて）、第１の操作信号Ｓ１による指Ｆ１の接触位置を支点として、操作対象を第２の操作信号Ｓ２により平面的に回転操作させる表示操作信号Ｓ３を生成している。
【００５３】
このように第１の入力操作と第２の入力操作とは個々、別々の入力操作であるが、これら入力操作を組み合わせることで、操作対象を平面回転させる表示操作を実行可能にしている。
【００５４】
図４（ｂ）では、表示部７の表示画面７ａに、第１の入力操作として指Ｆ１を触れる。指Ｆ１の接触位置が支点Ｔ２として設定される。
【００５５】
次に図４（ｂ）では、ポインティング操作部８の操作表面８ａに、第２の入力操作として指Ｆ２を縦方向である矢印Ｙ３方向に直線的にスライドさせる。これにより、図４（ｂ）に示すように、操作対象（表示画面７ａの一部であってもよいし全体であってもよい）が、支点Ｔ２を通る画面横方向を回転軸として矢印Ｙ４のように立体的に回転操作される。
【００５６】
図４（ｃ）では、表示部７の表示画面７ａに、第１の入力操作として指Ｆ１を触れる。指Ｆ１の接触位置が支点Ｔ３として設定される。図４（ｃ）では指Ｆ１の接触位置が表示画面７ａの左下辺りとなっている。そして、次に図４（ｃ）では、ポインティング操作部８の操作表面８ａに、第２の入力操作として指Ｆ２を斜め方向である矢印Ｙ５方向に直線的にスライドさせる。これにより、図４（ｂ）に示すように、操作対象（表示画面７ａの一部であってもよいし全体であってもよい）が、支点Ｔ３を通る画面斜め方向を回転軸として矢印Ｙ６のように立体的に回転操作される。
【００５７】
本実施形態では、指等の操作体では操作不可能、あるいは操作が困難な表示画面に対して、第１の入力操作及び第２の入力操作とを組み合わせることで表示操作を実行できる。
【００５８】
例えば図５（ａ）に示すように表示部７の表示画面７ａに、複数のアイコンが配列されたメニュー画面（第１の階層メニュー）が表示されているとする。指Ｆ１を表示部７の表示画面７ａ上に触れて、ある特定のアイコンを選択するとサブメニュー画面（第１の階層よりも下位の階層メニュー）３０が開く。このサブメニュー画面３０にも複数のアイコン３１（一つのアイコンのみに符号３１を付した）が表示されているが、サブメニュー画面３０が小さくて指での操作が不可能、あるいは指で直接操作しようとすると指でサブメニュー画面３０に表示されたいくつかのアイコン３１が隠れてしまい操作性が悪い。そこで本実施形態では、サブメニュー画面３０を開いた状態で、ポインティング操作部８の操作表面８ａを指Ｆ２で操作することで（このとき指Ｆ１を表示画面７ａから離してもよいように制御することもできる）、例えば図５（ｂ）に示すように、指Ｆ２を矢印Ｙ７方向にスライドさせることで、サブメニュー画面３０に表示された複数のアイコン３１も指Ｆ２の動きに連動して、斜めに配列されたアイコンが順番に操作され（アイコン３１の色が変化等して、今、どのアイコン３１が操作されているか認識できる）、サブメニュー画面３０内の小さいアイコン３１を選択することが出来る。
【００５９】
あるいは図６（ａ）に示すように、表示部７の表示画面７ａに複数のメニュー画面３３（一つのメニュー画面だけに符号３３を付した）が三次元的に表示されているとする。図６（ａ）に示すように各メニュー画面３３は大部分が重なってしまっているため、あるメニュー画面３３を、直接、指で選択しようとすると複数のメニュー画面３３に触れ、うまく必要なメニュー画面３３だけを選択することが困難である。そこで、図６（ａ）に示すように、まず操作部８の操作表面８ａを指Ｆ２で操作し（図６（ａ）のように回転操作やスライド操作）、その指Ｆ２の動きに連動して、複数のメニュー画面３３が順番に操作され（メニュー画面３３の色が変化等して、今、どのメニュー画面３３が操作されているか認識できる）、所定のメニュー画面３３を選択すると、図６（ｂ）のように、メニュー画面３３内に配列された複数のアイコン３４（一つのアイコン３４だけに符号３４を付した）が画面に表示される。そして、第１の入力操作として指Ｆ１を直接、表示画面７ａに触れて、アイコン３４を選択することが出来る（アイコン３４を選択しているとき、指Ｆ２は操作表面８ａから離せるように制御することもできる）。
【００６０】
このように、図５，図６では、いずれも、直接、指で表示画面７ａを触れて操作しようとすると、操作しにくい場面があるが、操作しにくい画面の選択→操作しにくい画面内での操作、という一つの操作系の中で、第１の入力操作と第２の入力操作とを組み合わせることで、操作困難であって表示操作を実行可能している。このように本実施形態では、表示画面７ａでの視覚性と直感的な操作性を適度に維持しながら、従来、操作困難であった表示操作を簡単且つスムースに行うことが出来る。
【００６１】
図４ないし図６はいずれも一例である。例えば、図４において、第２の入力操作で操作対象の支点を特定し、第１の入力操作で平面的あるいは立体的な回転をさせることも出来る。図５，図６においては逆の手順で表示操作を行うことも可能である。
【００６２】
また、操作対象（表示画面の一部あるいは全体を含む）の拡大、縮小、移動、変形等の表示操作を第１の入力操作と第２の入力操作とを組み合わせて実行することも可能である。
【００６３】
本実施形態では、このように、表示部７に対する第１の入力操作と、表示部７以外の余白領域に画定されたポインティング操作部８に対する第２の入力操作とを組み合わせることで、表示画面に対する視覚性や直感的な操作性を維持しつつ、特殊な表示操作や、表示部７に対する指の操作では操作不可能な表示操作、数階層にわたる連続した表示操作等、様々な表示操作を簡単かつスムースに行うことができる。本実施形態では、ある特殊な表示操作、あるいは一つの操作系の中での表示操作を、第１の入力操作と第２の入力操作とを適宜、組み合わせることで、実行可能にしたのである。
【００６４】
上記した視覚性については、表示部７から離れて位置する第２の入力領域（ポインティング操作部８）に対して第２の入力操作を行うから、表示部７に対してマルチタッチ操作をする場合等に比べて視覚性を向上させることができる。また、表示部７に対しても第１の入力操作を行いながら、第２の入力操作と組み合わせた表示操作を行うものであるから、表示画面７ａから離れた入力領域だけで、画面操作する場合に比べて、直感的な操作性を得やすい。
【００６５】
本実施形態では、ポインティング操作部８の操作表面８ａが凹形状あるいは凸形状で形成されている等、触覚でき、これにより、ポインティング操作部８に対して表示画面７ａを見ながらのブラインド操作が可能になる。
【００６６】
このように本実施形態では、第１の入力操作と第２の入力操作とを組み合わせて（連携させて）、様々な表示操作を実行でき、この際、視覚性、直感的な操作性、更にはブラインド操作性（表示画面７ａを見ながらの操作）を得ることが可能であり、従来に比べて操作性を効果的に向上させることができる。
【符号の説明】
【００６７】
Ｆ１、Ｆ２  指
Ｓ１、Ｓ２  操作信号
Ｓ３  表示操作信号
１  入力装置
２  表面パネル
３  第１の入力部
４  第２の入力部
５  フレキシブルプリント基板
６  コントロールＩＣ
７  表示部
７ａ  表示画面
８  ポインティング操作部
８ａ  操作表面
９  加飾層
１０  液晶ディスプレイ
１１  静電容量式センサ
２２、２３  操作信号生成部
２４  信号処理部
３０  サブメニュー画面
３１、３４  アイコン
３３  メニュー画面
【図１】
2012053738.tif 000003
【図２】
2012053738.tif 000004
【図３】
2012053738.tif 000005
【図４】
2012053738.tif 000006
【図５】
2012053738.tif 000007
【図６】
2012053738.tif 000008